(57)【要約】【課題】引き戸が戸袋や壁面、或いは他方の引き戸の背面に隠れてしまった場合でも、この隠れた引き戸を容易に取り出す事のできる引き手構造を備えた引き戸を提供する。【解決手段】  引き戸の移動方向端面に少なくとも一つ以上の引き手を設け、この引き戸の移動方向端面に設けられた引き手は、少なくとも指が入り込む程度の幅を有する窪みと、この窪みに差し込んだ指を引っ掛ける為の係止構造を備えており、当該引き戸の移動方向端面に設けられた引き手は、それが設けられている引き戸の移動方向端面から突起することなく形成されている引き戸とする。【選択図】図２
2006328872.tif 000002
【特許請求の範囲】
【請求項１】
開閉の為の引き手が設けられた引き戸であって、
当該引き戸の移動方向端面には、少なくとも一つ以上の引き手が設けられており、
この引き戸の移動方向端面に設けられた引き手は、指が入り込む程度の幅を有する窪みと、この窪みに差し込んだ指を引っ掛ける為の係止構造を備えており、
当該引き戸の移動方向端面に設けられた引き手は、それが設けられている引き戸の移動方向端面から突起することなく形成されている引き戸。
【請求項２】
開閉の為の引き手を有する引き戸であって、
当該引き戸の移動方向端面には、少なくとも一つ以上の引き手が設けられており、
この引き戸の移動方向端面に設けられた引き手は、当該移動方向端面から突起可能であると共に、引き戸が閉じられた状態においては、当該引き戸の移動方向端面内に収容されるものとして形成されている引き戸。
【請求項３】
前記引き戸の移動方向端面に設けられた引き手は、当該移動方向端面に設けられた溝内に軸着されている回転体であり、当該回転体は常には当該溝内に収容されると共に、何れか一方の端部を押圧することで、他端部が当該溝から突出するものとして形成されている請求項２に記載の引き戸。
【請求項４】
開閉の為の引き手が設けられた引き戸であって、
当該引き戸の移動方向端面には、少なくとも一つ以上の引き手が設けられており、
この引き戸の移動方向端面に設けられた引き手は、引き戸の開閉動作時における作用点が引き戸の移動領域内に存在するものとして形成されている引き戸。
【請求項５】
引き戸と同じ高さを有し、当該引き戸の移動方向端面に当接される基体と、
この基体における、引き戸との当接面とは反対側の端面に設けられた引き手とからなり、
当該引き手が、引き戸開閉動作時における作用点が引き戸の移動領域内に存在するものとして形成されている、引き戸用の引き手取り付け部材。
【請求項６】
開閉の為の引き手を有する引き戸であって、
少なくとも、引き戸背面の移動方向端面近傍には、背面側に突出する引き手が設けられている引き戸。
【発明の詳細な説明】
【技術分野】
【０００１】
本発明は引き戸に関するものであり、より詳しくは引き戸を開閉する為の手掛けとして設けられる引き手構造に特徴を有する引き戸に関する。
【背景技術】
【０００２】
従来、住宅に用いられる引き戸としては、片引きタイプのものや、引き違いタイプのものが提供されている。片引きタイプの引き戸は、壁内部に設けた戸袋状の収容部や、壁の段差部に設けた収容部に収容されて、間口を開放するようになっており（図１（Ｂ）及び（Ｃ））、一方、引き違いタイプの引き戸は、一方の引き戸が他方の引き戸と重なり合うことによって、間口を開放するようになっている（図１（Ａ））。
【０００３】
そして、これらの引き戸を開閉する際には、使用者側に存在する引き戸に設けられた堀り込み型の引き手に指を引っ掛けて、引き戸を水平方向にスライドさせるように構成されている。
【０００４】
また引き戸は、前記住宅用に限ることなく、キッチンや洗面化粧台等のキャビネット、下駄箱等の家具類、あるいは主に現場で組み立てられる玄関収納やシステム収納、クローゼット等の大型の収納体においても多用されており、これらにおいても、引き手は引き戸における表面又は裏面の側端部近くに設けられている。
【０００５】
従来、この引き手構造に関しては、引き戸の表側及び裏側に出現させる為の構造（特許文献１）や、指の挟み込みを阻止する為の構造（特許文献２）が提案されている。
【特許文献１】特開２００２−２６６５２７号公報
【特許文献２】特開２００２−１２１９３３号公報
【発明の開示】
【発明が解決しようとする課題】
【０００６】
併しながら、上記したような従来の引き戸では、引き戸を全開にした状態において、開放した方の引き戸が戸袋や壁面、或いは他方の引き戸の背面に隠れてしまい、極めて操作し難いものとなっている。具体的には、片引きタイプの引き戸では、これを全開した場合、その引き手が戸袋や壁の段差部（収容部）の中に入り込んでしまうことから、これを引き出すのが困難になっており、また引き違いタイプの引き戸では、これを全開した場合には反対側の引き戸と重なってしまうことから、これを引き出すのが困難になっている。
【０００７】
そしてこのような課題は、住宅用の引き戸に限られることなく、キッチンや洗面化粧台等のキャビネット、下駄箱等の家具類、あるいは主に現場で組み立てられる玄関収納やシステム収納、クローゼット等の大型の収納体等においても共通する課題となっている。
【０００８】
依って、本発明は上記課題を解決し、引き戸が戸袋や壁面、或いは他方の引き戸の背面に隠れてしまった場合でも、この隠れた引き戸を容易に取り出す事のできる引き手構造を備えた引き戸を提供するものである。
【課題を解決するための手段】
【０００９】
上記課題を解決する為、本発明では、引き戸の引き出し方向に引き手を設けた引き戸を提供する。
【００１０】
即ち、上記課題を解決するものとして、本発明により、開閉の為の引き手が設けられた引き戸であって、当該引き戸の移動方向端面には、少なくとも一つ以上の引き手が設けられており、この引き戸の移動方向端面に設けられた引き手は、指の入り込む幅の窪みと、この窪みに差し込んだ指を引っ掛ける為の係止構造を備えており、更にこの引き戸の移動方向端面に設けられた引き手は、それが設けられている引き戸の移動方向端面から突起することなく形成されている引き戸が提供される。
【００１１】
上記引き戸端面とは、引き戸の移動方向に存在する端面の事であり、この端面に、少なくとも一つ以上の引き手が形成される。かかる引き戸の端面は、通常、１枚の引き戸において２面存在することになるが、少なくとも、引き戸を開放した場合、即ち、引き戸が戸袋や壁面、或いは他方の引き戸の背面に隠れてしまった場合においても、使用者側に露出する端面に当該引き手が形成される必要がある。
【００１２】
この引き戸端面に形成される引き手（以下、「端面側引き手」とする）は、引き戸の開閉動作時の作用点、即ち引き戸を引き出す為に力を加える点が、引き戸の移動領域内に存在するものとして形成されていることが望ましい。ここで、引き戸の移動領域とは、引き戸がスライドして移動する際における仮想領域のことであり、通常は引き戸の幅と、スライドする長さによって確定されることになる。また、この様に形成された端面側引き手は、引き戸の開け閉めの障害になることの無い様に、引き戸の厚さ幅内に収まる大きさに形成されている事が望ましい。また、この端面側引き手は、引き戸が閉じられた状態（間口が閉まった状態）においては、当該引き戸の移動方向端面から突出する事の無い形状に形成されることが望ましい。仮に当該引き戸の移動方向端面から突出する場合には、閉められた状態における引き戸端面が当接する部位には、この突出した端面側引き手が収容される窪み乃至溝が形成される事が望ましい。
【００１３】
かかる端面側引き手は、例えば引き戸の端面に設けられた指が入り込む程度の幅の窪みと、この窪みに差し込んだ指を引っ掛ける為の係止構造とから成るものとして形成する事ができる。この様に形成した端面側引き手は、その使用に際して、引き出す側の引き戸の端面に形成された窪みに指を差し入れ、更に当該係止構造に指を掛けて引き出すことで、戸袋や壁の裏、或いは他方の引き戸の裏側に隠れた引き戸の引き手を容易に出現させることができる。
【００１４】
ここで、引き戸端面に設けられる「少なくとも指が入り込む程度の幅を有する窪み」とは、通常、１〜２ｃｍ程度の幅を有する溝又は窪みとして形成されるものであり、望ましくは、この窪みが設けられる引き戸の幅の１／２〜２／３程度の幅で形成される。そして「係止構造」とは、窪み内に差し込んだ指を引っ掛けることのできる形状の構造部のことであり、少なくとも引き戸の引き出し方向に交差する向きの面が、窪みの底面とは別に設けられる必要がある。かかる構造の端部側引き手は、当該引き戸端面の高さ方向全体に亘る長さを有するものとして形成する他、使用者の手の届く範囲内に、１つ又は２つ以上を点在させて設ける事もできる。
【００１５】
また、上記端面側引き手としては、例えば引き戸の移動方向端面から突起可能であると共に、引き戸が閉じられた状態においては、当該引き戸の移動方向端面内に収容される構造体として形成する事もできる。この様な構造体は、引き戸の引き出し方向に沿って、水平方向、又は略水平方向にスライドする引き出し体として形成する他、引き戸の移動方向端面に設けられた溝又は窪み内に軸着されている回転体として形成するこができる。
【００１６】
特にこの回転体は、常には当該溝内に収容されると共に、何れか一方の端部を押圧することで、他端部が当該溝から突出する形状、例えば、全体略「く」の字型や鍵型等、曲折した形状に形成する他、一部の円弧を欠いた形状、又は偏芯位置に回転軸を設けた形状などとして形成することができる。またこの回転体は、常には溝又は窪み内に収容されるように、バネや弾性部材などで付勢しておくこともできる。
【００１７】
この様に形成された端面側引き手は、その使用に際して、引き戸の移動方向端面内に収容される構造体をスライドさせるか回動させることにより当該引き戸の移動方向端面から突出させ、これを掴んで引き出すことにより、戸袋や壁の裏、或いは他方の引き戸の裏側に隠れた引き戸の引き手を容易に出現させることができる。
【００１８】
更に、上記の端面側引き手としては、引き戸の移動方向端面内に収容され、揺動自在乃至は回動自在に軸着された板状体又は棒状体であって、当該引き戸端面と面一に設けられ、揺動乃至は回動することにより、当該引き戸端面から突起するものとして形成する事もできる。この場合、当該板状体又は棒状体は、重力作用方向とは反対側（即ち上方向）に向かって引き出すように形成される事が望ましい。
【００１９】
以上の様に端面側引き手が設けられた引き戸にあっては、これが戸袋や壁面、或いは他方の引き戸の背面に隠れてしまった場合でも、この端面側引き手を用いて引き出すことで、容易に一定の幅、例えば引き戸の側面に形成される引き手が出現する幅まで引き出すことができ、依って引き戸を閉めるときの操作が極めて楽になる。この為、本発明に係る引き戸では、更に望ましくは引き手の表面及び／又は裏面に、引き戸をスライドさせる為の引き手を設ける事が望ましい。
【００２０】
また本発明では、既存の引き戸に対して、前記端面側引き手を設ける為の引き手取り付け部材を提供する。即ち、引き戸と同じ高さを有し、当該引き戸の移動方向端面に当接される基体と、この基体における、引き戸との当接面とは反対側の移動方向端面に設けられた引き手（即ち、前記「端面側引き手」）とからなり、当該引き手が、引き戸開閉動作時における作用点が引き戸の移動領域内に存在するものとして形成されている、引き戸用の引き手取り付け部材である。かかる「端面側引き手」としては、上記引き戸の移動方向端面に設けられる引き手と略同じ構造のものを採用することができる。また、このような引き手が設けられる基体としては、これが形成される引き戸の移動方向端面形状と同じ平面形状を有し、可能な限り薄く（望ましくは、１〜３ｃｍ）、即ち、引き戸の移動方向端面からの突出幅を小さく形成することが望ましい。
【００２１】
以上の様に構成された、引き戸や引き手取り付け部材は、原則として、前記の端面側引き手を形成し得る程度の厚さを有する引き戸を対象とするものである。
【００２２】
そこで本発明では、端面側引き手を形成するのが困難な厚さを有する引き戸においても、前記隠れた引き戸の引き出し操作を容易にする為に、開閉の為の引き手を有する引き戸であって、少なくとも、引き戸背面の移動方向端面近傍には、背面側に突出する引き手が設けられている引き戸を提供する。
【００２３】
かかる引き戸の背面側に突出する引き戸は、その形状に関して何ら制限を受けるものではないが、望ましくは、使用勝手を考慮して、その突出幅は３〜２０ｍｍ程度に調整されるべきである。
【発明の効果】
【００２４】
以上の様に構成された本発明の引き戸によれば、引き戸を全開にした状態において、閉じる側の引き戸が戸袋や壁面、或いは他方の引き戸の背面に隠れてしまった場合においても、端面側引き手により、これを容易に引き出すことができる。
【００２５】
また、本発明に係る引き戸用の引き手取り付け部材を用いる事により、既存の引き戸に対して、容易に前記端面側引き手を設ける事ができ、かつ閉じた状態において、引き戸と、これが当接する構造体（壁や柱など）戸の間に隙間が生じる事をなくす事ができる。
【００２６】
そして、かかる引き戸は、住居用の引き戸に限ることなく、キッチンや洗面化粧台等のキャビネット、下駄箱等の家具類、あるいは主に現場で組み立てられる玄関収納やシステム収納、クローゼット等の大型の収納体等における引き戸にも使用できることから、様々な用途において有効に活用することができる。
【発明を実施するための最良の形態】
【００２７】
以下、図面に基づいて、本発明に係る引き戸10、及び引き手取り付け部材の好ましい実施の形態を説明する。
【００２８】
〔実施の形態１〕
図１は、引き戸10の態様を示す上面図、図２は本実施の形態に係る引き戸10を示す全体斜視図、図３は端面側引き手11を示す水平断面図（図２のIII-III'矢視図）、図４〜７は他の実施の形態に係る端面側引き手11を示す鉛直断面図（図２のIV-IV'矢視図）、図９は更に他の実施の形態に係る端面側引き手11を示す鉛直断面図（図２のIV-IV'矢視図）である。
【００２９】
先ず、本実施の形態に示す引き戸10の作用効果を明らかにする為に、一般的な引き戸10の態様を図１に基づいて説明する。
【００３０】
即ち、従来提供されている引き戸10は、その使用態様において、間口を空けるようにスライドさせた場合、図１（A）に示す様に、開けた方の引き戸10が他方の裏側に入り込んだり、図１（B）に示す様に、壁などの裏側に入り込んだり、或いは図１（C）に示す様に、戸袋内に入り込んだりしてしまうことになる。この様な場合、図面に向かって下方から、図中、鎖線で示す様に引き戸10を移動させようとすると、開けた方の引き戸10の引き手12は、他方の引き戸10の裏、壁の裏、戸袋の中などに存在することから、この開けた方の引き戸10を操作するのが困難である。
【００３１】
そこで本実施の形態に示す引き戸10では、図２に示す様に、引き戸10が移動する方向に存在する端面に、引き戸10の開閉動作時における作用点Pが引き戸10の移動領域内、即ち、図１においてスライドする戸の移動する範囲（引き戸10と鎖線で示された範囲）に存在する引き手（即ち、端面側引き手11）を形成し、この引き手を操作することによって、隠れた引き戸10を容易に引き出すことができる様にしている。
【００３２】
次に、本実施の形態における端面側引き手11の構造を、図３〜７に基づいて説明する。
【００３３】
図３に示す態様の端面側引き手11は、水平断面形状が図３に示されるように、間口側（引き戸10の移動方向端面に開口する側）の開口13の幅が小さく、その奥に幅が広がった空間部Sを形成して端面側引き手11としたものである。この図に示す引き手における開口13の幅は、少なくとも指が入り込むことのできる幅（大凡１５ｍｍ）に形成されており、またこの開口13の奥に存在する空間部Sには、差し込んだ指が引っかかるように、引き戸10の引き出し方向（図面に向かって右側に向かう方向）に交差する面によって構成された係止構造14が設けられている。依って、この図に示す引き戸10を引き出す場合には、開口13から差し入れた指で係止構造14を押さえながら引き出すことで、隠れていた引き戸10、更には正面側又は裏面側の引き手12を出現させる事ができる。
【００３４】
かかる端面側引き手11の形成に際しては、例えば図４に示すように、あらかじめ引き戸10の移動方向端面に、横倒凸状の窪み15を形成すると共に、この窪み15を、指が入る大きさの孔部16を有するプレート部材17で閉塞することによっても形成することができる。
【００３５】
また図５に示す態様の端面側引き手21は、「く」の字上に形成された回転体23（実際に引き手となる部分）を溝24内に軸着し、更に何れか一方の端部（この図では上端部）に弾性部材26を設け、常には当該回転体23が溝24から突出しない様に、この回転体23の姿勢を規制している（図５（Ａ））。このように構成された端面側引き手21を操作するに際しては、何れか一方の端部（この図では下端部）を溝内に押し入れることで他端部を引き戸10の移動方向端面25から突出させ（図５（Ｂ））、この突出した部分23'を摘んで引き出すことにより、隠れていた引き戸10、更には正面側又は裏面側の引き手12を出現させる事ができる。
【００３６】
この図５に示す回転体23は、更に図６に示すように、その曲折部が溝24内に形成された窪み部27内を滑動する様に構成することができる。この回転体23は板バネ26’によって回転が規制されており、また溝内からの突出は支持棒28によって制限されている。この支持棒は、望ましくは回転自在に設置されている。
【００３７】
また図７に示す態様の端面側引き手31は、半円状の回転体33（実際に引き手となる部分）を溝34内に軸着したものであり、望ましくは、当該回転体33が溝34内に収まるように作用するバネ（例えば弦巻バネ）を設ける。この様に形成された回転体33は、常には図７（Ａ）に示す如く溝34内に収容されており、何れか一方の端部を溝34内に押し入れて回動させ、図７（Ｂ）に示す如く出現した回転体33を摘んで引き出すことにより、隠れていた引き戸10、更には正面側又は裏面側の引き手12を出現させる事ができる。
【００３８】
そして上記何れの引き手も、引き戸10を閉じた状態においては、引き戸10における移動方向端面から突起しないものとして形成されていることから、引き戸10と壁や柱などとの間に隙間を生じさせる事も無い。
【００３９】
上記本実施の形態に係る引き戸10は、特に住居用の引き戸10に基づいて説明を行ってきたが、当然のことながら、上記の引き手構造を備えた引き戸10は、その他にも、キッチンや洗面化粧台等のキャビネット、下駄箱等の家具類、あるいは主に現場で組み立てられる玄関収納やシステム収納、クローゼット等の大型の収納体における引き戸としても実施する事ができる。
【００４０】
〔実施の形態２〕
本実施の形態に示す引き手は、特に実施の形態１に示した引き手構造を形成するだけの厚さを有しない引き戸40において特に有効なものであり、その一例を具体的に図８に示す。
【００４１】
即ち、図８は上記実施の形態１とは別の実施の形態における引き戸40を示す斜視図であり、この図に示す引き戸40は、通常の態様における引き手42の他に、更にその背面（裏側）に、引き戸40から離れる方向に突起する引き手41を設けて成る引き戸40である。かかる背面側の引き手41は、それが設けられた引き戸40を全開にした場合においても、当該引き戸40を引き出し易くするものであり、全開にした引き戸40の背面側に手を差し入れ、この背面側に突起する引き手41を押さえながら引き戸40をスライドさせる事により、当該引きどの閉塞動作を容易にするものである。
【００４２】
このような引き戸40の背面側に設けられる引き手41は、望ましくは樹脂を用いて形成される。これは、例えば図示するごとき棚Rの中に収容されたもの（例えば食器など）を傷つける事が無い様にするためである。またこの引き戸40の背面側に突起する引き手41は、棚Rの中の収容物に対する引っ掛かりを無くす為に、できるだけその突出幅が抑えられている事が望ましい。本実施の形態における引き手41の突出幅は、大凡５〜１０ｍｍの範囲内に調整されている。
【００４３】
〔実施の形態３〕
本実施の形態は、引き戸10用の引き手取り付け部材50に関するものであり、その一例の全体斜視図を図９に示す。
【００４４】
この図９に示す引き手取り付け部材50は、引き戸10と同じ高さを有する基材53に、複数の引き手構造（端面側引き手51）を設けて成る引き手取り付け部材50であり、その背面側が、図９中に鎖線で示す様に、引き戸10における引き出し方向の端面に一体状に取り付けられる。かかる引き手取り付け部材50の取り付け手法としては、接着剤の他、釘、螺子、楔など建具において通常使用される材料や部材を使用する事ができる。
【００４５】
かかる引き手取り付け部材50は、木材やプラスチックなどの樹脂、或いは金属などを用いて基材を形成することができ、これに前記実施の形態１における図３〜７に示したような引き手構造を設けたものとして製造することができる。本実施の形態において、基材は、この引き手取り付け部材50が取りつけられる引き戸10と同じ厚さに形成され、且つその端面側引き手51構造は、当該基材の高さ方向に６個形成されている。
【００４６】
この様に形成された引き手取り付け部材50を設ける事により、既存の引き戸10でも、前記実施の形態に示した引き戸10と同じ効果を得る事ができる。
【産業上の利用可能性】
【００４７】
本発明に係る引き戸及び引き手構造は、住居用の引き戸のみならず、キッチンや洗面化粧台等のキャビネット、下駄箱等の家具類、あるいは主に現場で組み立てられる玄関収納やシステム収納、クローゼット等の大型の収納体等、様々な要とにおいて使用することができる。
【図面の簡単な説明】
【００４８】
【図１】一般的な引き戸の態様を示す上面図
【図２】本実施の形態に係る引き戸を示す全体斜視図
【図３】端面側引き手を示す水平断面図（図２のIII-III'矢視図）
【図４】他の実施の形態に係る端面側引き手を示す鉛直断面図（図２のIV-IV'矢視図）
【図５】他の実施の形態に係る端面側引き手を示す鉛直断面図（図２のIV-IV'矢視図）
【図６】他の実施の形態に係る端面側引き手を示す鉛直断面図（図２のIV-IV'矢視図）
【図７】更に他の実施の形態に係る端面側引き手を示す鉛直断面図（図２のIV-IV'矢視図）
【図８】上記実施の形態１とは別の実施の形態における引き戸を示す斜視図
【図９】引き戸用の引き手取り付け部材の一例を示す全体斜視図
【符号の説明】
【００４９】
10,40            引き戸
11,21,31,41、51  引き手
13        開口
14        係止構造
23,33      回転体
24,34      溝
25        引き戸の移動方向端面
26        弾性部材
50        引き戸用の引き手取り付け部材
53        基材
P          作用点
R          棚
S          空間部
【図１】
2006328872.tif 000003
【図２】
2006328872.tif 000004
【図３】
2006328872.tif 000005
【図４】
2006328872.tif 000006
【図５】
2006328872.tif 000007
【図６】
2006328872.tif 000008
【図７】
2006328872.tif 000009
【図８】
2006328872.tif 000010
【図９】
2006328872.tif 000011